(57)【特許請求の範囲】
【請求項１】
一対のヒューズ端子と、該ヒューズ端子間を電気的に接続する可溶体と、該可溶体を覆うように前記ヒューズ端子を収容する合成樹脂製のハウジングと、を有するヒューズが、上方から挿入可能な合成樹脂製のヒューズキャビティと、
該ヒューズキャビティに前記ヒューズが挿入された際に前記ヒューズ端子と接触して電気的に接続される一対のキャビティ端子と、
を備え、
前記ヒューズキャビティに挿入された前記ヒューズのハウジングの下面が前記ヒューズキャビティの内底部分に当接することで前記ヒューズの前記ヒューズキャビティにおける下方への位置決めがなされる電気接続箱であって、
前記内底部分が、その内底面から上方に延長するように該内底面に形成された突出部を有しており、
前記突出部の上面が前記ハウジングの前記下面に当接し、そして
前記突出部により前記内底面と前記ハウジングの前記下面との間に空隙が形成されていることを特徴とする電気接続箱。
【請求項２】
前記突出部が、前記ヒューズキャビティの上面視で、前記キャビティ端子の間に位置するように前記内底面に設けられ、且つ前記ヒューズキャビティに収容されている状態の前記ヒューズの可溶体の真下に位置することを特徴とする請求項１に記載した電気接続箱。
【請求項３】
前記突出部が、前記ヒューズキャビティに収容されている状態の前記ヒューズのハウジングの前記可溶体の真下に位置する部分の下面と、前記ヒューズキャビティの内底面との間に前記空隙を形成するように前記内底面に突設されていることを特徴とする請求項１に記載した電気接続箱。
【請求項４】
前記ヒューズがスローブローヒューズであることを特徴とする請求項１〜請求項３のいずれか一項に記載した電気接続箱。
【発明の詳細な説明】
【技術分野】
【０００１】
本発明は、ヒューズを収容するためのヒューズキャビティを備える電気接続箱に関する。
【背景技術】
【０００２】
ヒューズキャビティを備える従来の電気接続箱の一形態として、特許文献１に開示されている電気接続箱が挙げられる。図１４はヒューズ未装着時の従来の電気接続箱の一形態の要部を示す斜視図、そして図１５は図１４の電気接続箱にヒューズを装着した状態を示す斜視図である。
【０００３】
図１４に示す従来の電気接続箱５は、ヒューズ６を上方から挿入可能なヒューズキャビティ５１を備え、ヒューズキャビティ５１の内底面からは一対のキャビティ端子５２が突出している。図１５に示すヒューズ６は、ヒューズキャビティ５１に挿入されると、ヒューズ６のハウジング６１に収容された一対のヒューズ端子（図１４、図１５には図示せず）が一対のキャビティ端子５２に接触して電気的に接続される。
【特許文献１】特開２００４−６４８７１号公報
【発明の開示】
【発明が解決しようとする課題】
【０００４】
しかしながら、従来の電気接続箱５では、ヒューズ６の可溶体（図１４、図１５には図示せず）の放熱や溶断した該可溶体の付着によってハウジング６１が溶損した場合、該ハウジング６１の下面（すなわち、ハウジング６１の、ヒューズキャビティ５１への挿入方向前側に位置する部分）と、ヒューズキャビティ５１の内底面と、が接着してしまう。この結果、ハウジング６１が溶損したヒューズ６を電気接続箱５から抜き出すことが困難になることがあった。
【０００５】
上述した事項は、ヒューズ６が、速断型ヒューズである場合よりも特にスローブローヒューズ（すなわち、耐ラッシュ電流型ヒューズ）である場合に生じ易い。これは、スローブローヒューズの溶断時間が長時間継続することによって、スローブローヒューズを形成するハウジング６１がより溶損されるためである。
【０００６】
本発明は、上述した事情に鑑みてなされたものであり、その目的は、ヒューズの可溶体の放熱あるいは溶断により、ヒューズのハウジングが溶損した場合であっても、その溶損したハウジングがヒューズキャビティの内底部分に接着することを抑制することができる電気接続箱を提供することである。
【課題を解決するための手段】
【０００７】
前述した目的を達成するために、本発明に係る電気接続箱は、下記（１）を特徴としている。
（１）  一対のヒューズ端子と、該ヒューズ端子間を電気的に接続する可溶体と、該可溶体を覆うように前記ヒューズ端子を収容する合成樹脂製のハウジングと、を有するヒューズが、上方から挿入可能な合成樹脂製のヒューズキャビティと、
該ヒューズキャビティに前記ヒューズが挿入された際に前記ヒューズ端子と接触して電気的に接続される一対のキャビティ端子と、
を備え、
前記ヒューズキャビティに挿入された前記ヒューズのハウジングの下面が前記ヒューズキャビティの内底部分に当接することで前記ヒューズの前記ヒューズキャビティにおける下方への位置決めがなされる電気接続箱であって、
前記内底部分が、その内底面から上方に延長するように該内底面に形成された突出部を有しており、
前記突出部の上面が前記ハウジングの前記下面に当接し、そして
前記突出部により前記内底面と前記ハウジングの前記下面との間に空隙が形成されていること。
【０００８】
上記（１）の構成の電気接続箱では、ヒューズキャビティの内底面から上方に延長するように該内底面に形成された突出部の上面が、ヒューズのハウジングの下面に当接し、そして当該突出部によりヒューズキャビティの内底面とヒューズのハウジングの下面との間に空隙が形成される。そのため、可溶体の放熱や溶断した該可溶体の付着によって、ヒューズのハウジングの、ヒューズキャビティへの挿入方向前側に位置する部分（すなわち、ヒューズのハウジングの下面を形成する壁部）が溶損した場合であっても、ヒューズキャビティの、ハウジングの溶損した部分と接着する部分の面積を小さく抑えることができる。従って、上記（１）の構成の電気接続箱によれば、ハウジングが溶損したヒューズをヒューズキャビティから容易に取り出すことができる。
【０００９】
また、上述した目的を達成するために、本発明に係る電気接続箱は、下記（２）を特徴としている。
（２）  上記（１）の構成の電気接続箱において、
前記突出部が、前記ヒューズキャビティの上面視で、前記キャビティ端子の間に位置するように前記内底面に設けられ、且つ前記ヒューズキャビティに収容されている状態の前記ヒューズの可溶体の真下に位置すること。
【００１０】
上記（２）の構成の電気接続箱では、ヒューズを電気接続箱に収容した際に、突出部の上面とヒューズキャビティの内周面との協働によりヒューズのハウジングが安定した状態でバランス良く支持される。
【００１１】
また、上述した目的を達成するために、本発明に係る電気接続箱は、下記（３）を特徴としている。
（３）  上記（１）の構成の電気接続箱において、
前記突出部が、前記ヒューズキャビティに収容されている状態の前記ヒューズのハウジングの前記可溶体の真下に位置する部分の下面と、前記ヒューズキャビティの内底面との間に前記空隙を形成するように前記内底面に突設されていること。
【００１２】
上記（３）の構成の電気接続箱によれば、ヒューズの可溶体の真下を避けて突出部が設けられているため、すなわち、可溶体の放熱や溶断した該可溶体の付着によってヒューズのハウジングが溶損し易い可溶体近傍の部分から溶損する場合に、ヒューズのハウジングの下面のうちの可溶体からより離れた部分（すなわち、より溶損され難い部分）に突出部の上面が当接されているため、溶損したハウジングが突出部の上面に接着することすら防止することができる。このように、溶損したハウジングがヒューズキャビティの内底部分に接着されることを抑制した結果、ハウジングが溶損したヒューズを電気接続箱からより容易に取り出すことができる。
【００１３】
また、上述した目的を達成するために、本発明に係る電気接続箱は、下記（４）を特徴としている。
（４）  上記（１）〜（３）のいずれかの構成の電気接続箱において、
前記ヒューズがスローブローヒューズであること。
【００１４】
上記（４）の構成の電気接続箱によれば、ハウジングがより溶損される傾向にあるスローブローヒューズを収容する場合に、より顕著に、その溶損したハウジングがヒューズキャビティの内底部分に接着することを抑制することができる。
【発明の効果】
【００１５】
本発明の電気接続箱によれば、ヒューズの可溶体の放熱あるいは溶断により、ヒューズのハウジングが溶損した場合であっても、その溶損したハウジングがヒューズキャビティの内底部分に接着することを抑制することができるので、ハウジングが溶損したヒューズを電気接続箱から容易に取り出すことができる。よって、本発明によれば、ヒューズ交換に係る作業負担を低減することができる。
【発明を実施するための最良の形態】
【００１６】
以下、本発明に係る好適な実施形態を図面に基づいて詳細に説明する。
【００１７】
図１は本発明の一実施形態に係る電気接続箱の斜視図である。本発明の一実施形態に係る電気接続箱１は、電気接続箱１の合成樹脂製の筐体表面に、ヒューズを上方から挿入可能なヒューズキャビティ１１を複数箇所に備えており、電気接続箱１の筐体内部には、各種電気部品や、各種電気回路、及びそれらの電気部品や電気回路、並びにヒューズを電気的に接続する配線（電気部品、電気回路、配線については、図１には図示せず。）を備えている。
【００１８】
図２はヒューズ未装着時の、本発明の一実施形態に係る電気接続箱の要部を示す斜視図、そして図３は図２に示す電気接続箱にヒューズを装着した状態を示す斜視図である。ヒューズキャビティ１１は、ヒューズキャビティ１１の内底部分１１ａ及び内周面１１ｂによって形成される凹部に、ヒューズ２の一部または全てが収容されるように成型される。また、ヒューズキャビティ１１の内底部分１１ａからは、一対のキャビティ端子１２が突出している（図６等参照）。一対のキャビティ端子１２は、ヒューズキャビティ１１にヒューズ２が挿入される際に、ヒューズ２のハウジング２１の内部に進入し、ヒューズ２のハウジング２１に収容された一対のヒューズ端子２２（図４等参照）に接触して、該ヒューズ端子に電気的に接続される。また、ヒューズキャビティ１１に挿入されたヒューズ２は、該ヒューズ２のハウジング２１の下面がヒューズキャビティ１１の内底部分１１ａに当接することでヒューズキャビティ１１における下方への位置決めがなされる。ヒューズ２のハウジング２１の下面がヒューズキャビティ１１の内底部分１１ａに当接する具体的な構成については、後述する。
【００１９】
次に、本発明の一実施形態に係る電気接続箱に挿入されるヒューズ２の構造について詳細に説明する。図４は本発明の一実施形態に係る電気接続箱に挿入されるヒューズの斜視図である。ヒューズ２は、スローブローヒューズ（すなわち、耐ラッシュ電流型ヒューズ）であって、導体によって形成される一対のヒューズ端子２２と、一対のヒューズ端子２２の間に位置し、一対のヒューズ端子２２を電気的に接続する耐ラッシュ性に優れた可溶体２３と、可溶体２３を覆うようにヒューズ端子２２を収容する、ヒューズ２の外形を形作る合成樹脂製のハウジング２１と、を含んで構成される。
【００２０】
ハウジング２１は、有色透明な絶縁性の合成樹脂材料等で形成されている。ハウジング２１は、透明材料で構成されているので、該ハウジング２１に収容された可溶体２３の溶断の有無をハウジング２１の上面、側面、下面から目視で確認することができる。ハウジング２１の上側には、係合部２１ａが形成されており、係合部２１ａは、ヒューズ２をヒューズキャビティ１１に挿入した際に、ヒューズキャビティ１１に形成された係合溝１７に嵌め込まれる。ヒューズキャビティ１１に挿入されたヒューズ２は、係合部２１ａがヒューズキャビティ１１の係合溝１７に嵌め込まれることによってもヒューズキャビティ１１における下方への位置決めがなされる。また、ヒューズ２がヒューズキャビティ１１に挿入される際に、一対のキャビティ端子１２をハウジング２１の内部に導くために、ハウジング２１の下面２１ｂには開口部２１ｃが、そしてハウジングの内部には一対のキャビティ端子１２が進入する挿入路２１ｄが、それぞれ形成されている。
【００２１】
各ヒューズ端子２２はそれぞれ、挿入路２１ｄに挿入されるキャビティ端子１２を狭持可能な一対の可動腕部２２ａと、各可動腕部２２ａの先端に設けられ、ヒューズ端子２２をキャビティ端子１２に確実に接触させるための湾曲状の狭持部２２ｂと、一対の可動腕部２２ａが延設される根元部２２ｃと、を備えた所謂音叉状端子である。ヒューズ端子２２は、挿入路２１ｄに挿入されたキャビティ端子１２がヒューズ端子２２の狭持部２２ｂに接触することによって、キャビティ端子１２に電気的に接続される。なお、本発明の一実施形態において、ヒューズ端子２２は音叉状端子であるが、音叉状端子に限定されるものではなく、様々な形状の端子を適用することができる（例えば、特開平８−１８５７９０号公報の図１，図９、等参照）。
【００２２】
可溶体２３は、亜鉛、鉛、銀、又は、それらを主成分とする合金、などの材料によって構成され、その一端が一方のヒューズ端子２２の根元部２２ｃに接続され、その他端が他方のヒューズ端子２２の根元部２２ｃに接続されている。
【００２３】
次に、本発明の一実施形態に係る電気接続箱のヒューズキャビティ１１の構造について詳細に説明する。図５は本発明の一実施形態に係る電気接続箱のヒューズキャビティを上面視した矢視図、図６は図５におけるＶＩ−ＶＩ矢視断面図、図７は図６のヒューズキャビティにヒューズを装着した状態を示す断面図、である。ヒューズキャビティ１１は、ヒューズキャビティ１１の内底部分１１ａから突出した一対のキャビティ端子１２と、各キャビティ端子１２を固定するための端子支持体１３と、キャビティ端子１２の下端を内底部分１１ａの下方に収容する収容溝１４と、ヒューズキャビティ１１の内底部分１１ａの一部を形成する非突出部１５と、ヒューズキャビティ１１の内底部分１１ａの一部を形成する、上面が非突出部１５よりも上方に位置する突出部１６と、ヒューズ２をヒューズキャビティ１１に挿入した際にヒューズ２の係合部２１ｃを嵌め込むための係合溝１７と、を備える。
【００２４】
キャビティ端子１２は、所謂雄タブ端子であって、ヒューズ２がヒューズキャビティ１１に挿入される際に、ヒューズキャビティ１１の開口部２１ｃを通過してヒューズキャビティ１１の挿入路２１ｄに進入し、該挿入路２１ｄに収容される。挿入路２１ｄに挿入されたキャビティ端子１２は、ヒューズ端子２２の狭持部２２ｂに接触することによって、ヒューズ端子２２に電気的に接続される。なお、本発明の一実施形態では、ヒューズ２のヒューズ端子２２が所謂音叉状端子であって、ヒューズキャビティ１１のキャビティ端子１２がヒューズ端子２２の音叉状部分に進入する構成について説明するが、ヒューズ端子２２とキャビティ端子１２の構成が逆になってもよい。すなわち、キャビティ端子１２を所謂音叉状端子とし、そしてヒューズ端子２２を所謂雄タブ端子とした構成であってもよい。
【００２５】
端子支持体１３は、キャビティ端子１２に設けられた孔に挿通させて該キャビティ端子１２を固定する支持孔１３ａと、支持孔１３ａを挿通したキャビティ端子１２を受け止める止め具１３ｂと、一端に支持孔１３ａと止め具１３ｂが延設され、他端がヒューズキャビティ１１の筐体に固定された支持棒１３ｃと、を備える。キャビティ端子１２は、該キャビティ端子１２の下端を収容溝１４に収容する際に、該キャビティ端子１２に設けられた孔を止め具１３ｂに接触するまで支持孔１３ａに挿通させることによって、ヒューズキャビティ１１の内底部分１１ａから突出するように固定される。
【００２６】
非突出部１５は、ヒューズキャビティ１１の内底部分１１ａの一部を構成し、ヒューズキャビティ１１の内周面１１ｂによって形成される４つの隅部１５ａ、及び、収容溝１４と後述する台座１６ａと後述する突条１６ｂによって囲まれる中央部１５ｂ、によって構成される。
【００２７】
また、突出部１６は、ヒューズキャビティ１１の内底部分１１ａの一部を構成し、ヒューズキャビティ１１の４つの内周面１１ｂのうちの、一対のキャビティ端子１２が並ぶ向きに対して垂直な方向に向き合う２面にそれぞれ隣接する２つの台座１６ａと、長手方向のそれぞれの端部が２つの台座１６ａに一体成型された突条１６ｂと、によって構成される。突条１６ｂは、一対のキャビティ端子１２の間に位置するように設けられ、特に、ヒューズ２をヒューズキャビティ１１に挿入した際にヒューズ２の可溶体２３の真下に位置するように設けられる。台座１６ａの上面１６ｃと突条１６ｂの上面１６ｄは、同一平面上に形成され、それら上面の位置は、非突出部１５を構成する隅部１５ａの上面１５ｃと中央部１５ｂの上面１５ｄよりも上方にある。このため、図７に示すようにヒューズ２をヒューズキャビティ１１に挿入した際には、台座１６ａの上面１６ｃと突条１６ｂの上面１６ｄがヒューズ２のハウジング２１の下面２１ｂに当接し、一方、隅部１５ａの上面１５ｃと中央部１５ｂの上面１５ｄはヒューズ２のハウジング２１の下面２１ｂに当接せず、ヒューズ２のハウジング２１の下面２１ｂとの間には空隙１５ｅが形成される。したがって、ヒューズキャビティ１１の内底部分１１ａに当接するヒューズ２のハウジング２１の下面２１ｂの面積は、台座１６ａの上面１６ｃと突条１６ｂの上面１６ｄによって形成される面の面積に限られる。
【００２８】
係合溝１７は、ヒューズ２をヒューズキャビティ１１に挿入した際に台座１６ａの上面１６ｃと突条１６ｂの上面１６ｄがヒューズのハウジング２１の下面２１ｂに当接することを想定し、内周面１１ｂにおける、台座１６ａの上面１６ｃと突条１６ｂの上面１６ｄから、ヒューズ２のハウジング２１の下面２１ｂから係合部２１ｃまでの長さ分だけ上方の位置に設けられる。これにより、台座１６ａの上面１６ｃと突条１６ｂの上面１６ｄがヒューズのハウジング２１の下面２１ｂに当接する場合であっても、ヒューズ２の係合部２１ｃは、ヒューズキャビティ１１の係合溝１７に嵌め込まれる。
【００２９】
図５、図６、及び図７を参照して説明したヒューズキャビティ１１の内底部分１１ａが、ヒューズ２のハウジング２１の下面２１ｂに当接する面積を比較するために、続いて、参考例として、突出部を備えていないヒューズキャビティの構造について説明する。図８は電気接続箱の突出部を備えていないヒューズキャビティを上面視した矢視図、図９は図８におけるＩＸ−ＩＸ矢視断面図、図１０は図９のヒューズキャビティにヒューズを装着した状態を示す断面図、である。なお、内底部分１１ａ以外のヒューズキャビティ１１の各部位、及び、ヒューズ２の各部位については、図４から図７を参照して説明したとおりであるため、説明を省略する。
【００３０】
図８、図９、及び図１０に示すヒューズキャビティ１１の内底部分１１ａは、ヒューズキャビティ１１の内底部分１１ａは、ヒューズキャビティ１１の内周面１１ｂによって形成される４つの隅部１１ｃ、一対のキャビティ端子１２が並ぶ向きに対して垂直な方向に向き合う２面にそれぞれ隣接する２つの台座１１ｄと、長手方向のそれぞれの端部が２つの台座１６ａに一体成型された突条１１ｅと、によって構成される。ヒューズキャビティ１１の内底部分１１ａは、上述した突出部１６を備えておらず、隅部１１ｃ、台座１１ｄ、突条１１ｅによって構成されるヒューズキャビティ１１の内底部分１１ａの上面１１ｆは、全面が同一平面上に形成される。
【００３１】
ヒューズキャビティ１１の内底部分１１ａの上面１１ｆが同一平面上に形成されることから、ヒューズキャビティ１１の内底部分１１ａは、図１０に示すようにヒューズ２をヒューズキャビティ１１に挿入した際、ヒューズキャビティ１１の内底部分１１ａの上面１１ｆ全面がヒューズ２のハウジング２１の下面２１ｂに当接することになる。したがって、ヒューズキャビティ１１の内底部分１１ａに当接するヒューズ２のハウジング２１の下面２１ｂの面積は、図５、図６、及び図７を参照して説明した、ヒューズキャビティ１１の内底部分１１ａに当接するヒューズ２のハウジング２１の下面２１ｂの面積に比べて、大きくなる。
【００３２】
以上、本発明の一実施形態に係る電気接続箱のヒューズキャビティ１１は、ヒューズキャビティ１１の内底面から上方に延長するように該内底面に形成された突出部１６の上面が、ヒューズ２のハウジング２１の下面２１ｂに当接し、そして当該突出部１６によりヒューズキャビティ１１の内底面とヒューズ２のハウジング２１の下面２１ｂとの間に空隙１５ｅが形成される。そのため、可溶体の放熱や溶断した該可溶体の付着によって、ヒューズのハウジングの、ヒューズキャビティへの挿入方向前側に位置する部分が溶損した場合であっても、ヒューズキャビティの、ハウジングの溶損した部分と接着する部分の面積を小さく抑えることができる。従って、ハウジングが溶損したヒューズをヒューズキャビティから容易に取り出すことができる。
【００３３】
また、本発明の一実施形態に係る電気接続箱のヒューズキャビティ１１は、突出部１６の突条１６ｂが、ヒューズキャビティ１１の上面視で、キャビティ端子１２の間に位置するようにヒューズキャビティ１１の内底部分１１ａに設けられ、且つヒューズキャビティ１１に挿入されている状態のヒューズ２の可溶体２３の真下に位置する。この突条１６ｂの上面１６ｄとヒューズキャビティの内周面１１ｂとの協働により、ヒューズ２を電気接続箱１に収容した際に、ヒューズ２のハウジング２１のバランスの良い安定した支持ができる。
【００３４】
なお、上述した本発明の一実施形態に係る電気接続箱では、ヒューズキャビティ１１の内底部分１１ａがその内底面から上方に延長するように該内底面に形成された突出部１６を有する構成について説明したが、ヒューズキャビティ１１の内底部分１１ａがその内底面から下方に窪むように該内底面に形成された凹部を有する構成であっても構わない。この構成を図５、図６、及び図７を参照して説明したヒューズキャビティ１１の内底部分１１ａに適用すると、非突出部１５の上面を底面とし、非突出部１５の上面と突出部１６の上面との高低差を高さとする立体が凹部に相当する。ヒューズキャビティ１１の内底部分１１ａに凹部を設ける構成であっても、ヒューズキャビティ１１の内底部分１１ａに突出部１６を設ける構成と同様に、ヒューズキャビティの、ハウジングの溶損した部分と接着する部分の面積を小さく抑えることができる。
【００３５】
なお、上述した本発明の一実施形態に係る電気接続箱では、突出部１６の一部である台座１６ａが、ヒューズキャビティ１１の内周面１１ｂに隣接するように設けられ、突出部１６の一部である突条１６ｂが、一対のキャビティ端子１２の間に位置するように設けられる構成について説明したが、ヒューズキャビティ１１の内底部分１１ａに設けられる突出部１６の位置は、これらの位置に限られるものではなく、ヒューズキャビティ１１の内底部分１１ａの任意の位置に設けることができる。一対のキャビティ端子１２の位置、端子支持体１３の位置、及び収容溝１４の位置を考慮して、適宜設けられることが好ましい。以下、上述した本発明の一実施形態に係る電気接続箱とは異なる位置に突出部を設けた場合について説明する。
【００３６】
図１１は本発明の一実施形態に係る電気接続箱のヒューズキャビティを上面視した矢視図、図１２は図１１におけるＸＩＩ−ＸＩＩ矢視断面図を、図１３は図１２のヒューズキャビティにヒューズを装着した状態を示す断面図、である。なお、内底部分１１ａを形成する非突出部及び突出部以外のヒューズキャビティ１１の各部位、及び、ヒューズ２の各部位については、図４から図７を参照して説明したとおりであるため、説明を省略する。
【００３７】
ヒューズキャビティ１１の内底部分１１ａは、非突出部１８と、突出部１９とにより形成される。非突出部１８は、ヒューズキャビティ１１の内底部分１１ａの一部を構成し、ヒューズキャビティ１１の４つの内周面１１ｂのうちの、一対のキャビティ端子１２が並ぶ向きに対して垂直な方向に向き合う２面にそれぞれ隣接する２つの台座１８ａと、長手方向のそれぞれの端部が２つの台座１５ａに一体成型された突条１８ｂと、により構成される。また、突出部１９は、ヒューズキャビティ１１の４つの内周面１１ｂによって形成される４つの隅部１９ａによって構成される。４つの隅部１９ａの上面１９ｂは、同一平面上に形成され、その上面１９ｂの位置は、２つの台座１８ａの上面１８ｃと突条１８ｂの上面１８ｄよりも上方にある。このため、図１３に示すようにヒューズ２をヒューズキャビティ１１に挿入した際には、４つの隅部１９ａの上面１９ｂがヒューズ２のハウジング２１の下面２１ｂに当接し、一方、２つの台座１８ａの上面１８ｃと突条１８ｂの上面１８ｄはヒューズ２のハウジング２１の下面２１ｂに当接せず、ヒューズ２のハウジング２１の下面２１ｂとの間には空隙１８ｅが形成されるしないことになる。したがって、ヒューズキャビティ１１の内底部分１１ａに当接するヒューズ２のハウジング２１の下面２１ｂの面積は、４つの隅部１９ａの上面１９ｂの面積に限られる。
【００３８】
上述のように、本発明の一実施形態に係る電気接続箱のヒューズキャビティ１１は、台座１８ａの上面１８ｃまたは突条１８ｂの上面１８ｄと、ヒューズ２のハウジング２１の下面２１ｂと、の間に空隙１８ｅが形成されるように、４つの隅部１９ａが内底部分１１ａに突設されている。ヒューズ２のハウジング２１が溶損する際には可溶体２３に近いところから溶損するが、ヒューズ２が挿入された状態でヒューズキャビティ１１を上面視したときに可溶体２３から遠くに離れた箇所に４つの隅部１９ａが位置するため、ヒューズ２のハウジング２１の下面２１ｂのうちのより溶損し難い箇所に突出部１９の上面が当接されることになる。従って、溶損したハウジング２１が突出部１６の上面に接着することすら防止することができる。
【００３９】
以上、本発明の電気接続箱によれば、可溶体の放熱や溶断した該可溶体の付着によって、ヒューズのハウジングの、ヒューズキャビティへの挿入方向前側に位置する部分が溶損した場合であっても、ヒューズキャビティの、ハウジングの溶損した部分と接着する部分の面積を小さく抑えることができる。従って、ハウジングが溶損したヒューズをヒューズキャビティから容易に取り出すことができる。よって、本発明によれば、ヒューズ交換に係る作業負担を低減することができる。
【００４０】
本発明の電気接続箱は、ハウジングがより溶損されるスローブローヒューズが挿入された場合に、より顕著に、その溶損したハウジングがヒューズキャビティの内底面に接着することを抑制することができる。
【図面の簡単な説明】
【００４１】
【図１】本発明の一実施形態に係る電気接続箱の斜視図である。
【図２】ヒューズ未装着時の、本発明の一実施形態に係る電気接続箱の要部を示す斜視図である。
【図３】図２に示す電気接続箱にヒューズを装着した状態を示す斜視図である。
【図４】本発明の一実施形態に係る電気接続箱に挿入されるヒューズの斜視図である。
【図５】本発明の一実施形態に係る電気接続箱のヒューズキャビティを上面視した矢視図である。
【図６】図５におけるＶＩ−ＶＩ矢視断面図である。
【図７】図６のヒューズキャビティにヒューズを装着した状態を示す断面図である。
【図８】電気接続箱の突出部を備えていないヒューズキャビティを上面視した矢視図である。
【図９】図８におけるＩＸ−ＩＸ矢視断面図である。
【図１０】図９のヒューズキャビティにヒューズを装着した状態を示す断面図である。
【図１１】本発明の一実施形態に係る電気接続箱のヒューズキャビティを上面視した矢視図である。
【図１２】図１１におけるＸＩＩ−ＸＩＩ矢視断面図である。
【図１３】図１２のヒューズキャビティにヒューズを装着した状態を示す断面図である。
【図１４】ヒューズ未装着時の従来の電気接続箱の一形態の要部を示す斜視図である。
【図１５】図１４の電気接続箱にヒューズを装着した状態を示す斜視図である。
【符号の説明】
【００４２】
１  電気接続箱
１１  ヒューズキャビティ
１１ａ  ヒューズキャビティの内底部分
１２  キャビティ端子
１３  端子支持体
１４  収容溝
１５  非突出部
１５ａ  隅部１５ａ
１５ｂ  中央部
１５ｃ  隅部１５ａの上面
１５ｄ  中央部１５ｂの上面
１５ｅ  空隙
１６  突出部
１６ａ  台座
１６ｂ  突条
１６ｃ  台座１６ａの上面
１６ｄ  突条１６ｂの上面
１７  係合溝
２  ヒューズ
２１  ハウジング
２１ａ  係合部
２１ｂ  ハウジング２１の下面
２１ｃ  開口部
２１ｄ  挿入路
２２  ヒューズ端子
２３  可溶体
【図１】
0005187941.tif 000002
【図２】
0005187941.tif 000003
【図３】
0005187941.tif 000004
【図４】
0005187941.tif 000005
【図５】
0005187941.tif 000006
【図６】
0005187941.tif 000007
【図７】
0005187941.tif 000008
【図８】
0005187941.tif 000009
【図９】
0005187941.tif 000010
【図１０】
0005187941.tif 000011
【図１１】
0005187941.tif 000012
【図１２】
0005187941.tif 000013
【図１３】
0005187941.tif 000014
【図１４】
0005187941.tif 000015
【図１５】
0005187941.tif 000016